(57)【要約】      （修正有）【課題】液ボトルのポンプヘッドを保護し、箱詰めしたり梱包して輸送したりする際、外力を受けたり振動が発生したりしても掻き傷が生じることがなく、押圧可能な状態となることを防ぐ、ポンプディスペンサーのポンプヘッド用ストッパーを提供する。【解決手段】ポンプディスペンサーのポンプヘッド用ストッパーは、ポンプヘッド１０の外周を覆ってガード壁を形成する保護クリップ２０を備える。ポンプヘッド１０は、管座３０上に保持される。管座３０の外周には、ボトル蓋４０が枢着される。管座３０とボトル蓋４０との間には、環状凹溝５０が形成される。保護クリップ２０は、ポンプヘッド１０を収容する伸縮チャンバが中心部に形成されたＣリングである。保護クリップ２０の底部には、凹溝５０内に挟持されるとともに保護クリップ２０を位置決めする少なくとも１つの保持部が延設されている。【選択図】図１
0003197137.tif 000002
【実用新案登録請求の範囲】
【請求項１】
ポンプヘッドの外周を覆ってガード壁を形成する保護クリップを備え、
前記ポンプヘッドは、管座上に保持され、
前記管座の外周には、ボトル蓋が枢着され、
前記管座と前記ボトル蓋との間には、環状凹溝が形成され、
前記保護クリップは、前記ポンプヘッドを収容する伸縮チャンバが中心部に形成されたＣリングであり、
前記保護クリップの底部には、前記凹溝内に挟持されるとともに前記保護クリップを位置決めする少なくとも１つの保持部が延設されていることを特徴とするポンプディスペンサーのポンプヘッド用ストッパー。
【請求項２】
前記ポンプヘッドの一側には、ノズルが延設され、
前記保護クリップは、前記ノズルを挿通するノズル孔を有することを特徴とする請求項１に記載のポンプディスペンサーのポンプヘッド用ストッパー。
【請求項３】
前記ボトル蓋は、液ボトルにねじ込まれ、
前記ノズル内には、前記液ボトル内に至るまで延びた液体流路が形成されていることを特徴とする請求項１又は２に記載のポンプディスペンサーのポンプヘッド用ストッパー。
【請求項４】
前記保護クリップは、互いに対応した２つの端部を有し、
前記２つの端部間には、前記伸縮チャンバと連通する伸縮口が形成されていることを特徴とする請求項１又は２に記載のポンプディスペンサーのポンプヘッド用ストッパー。
【請求項５】
前記保護クリップは、傾いた頂壁を有し、
前記頂壁は、前記ポンプヘッドの頂部外周から突出されていることを特徴とする請求項１又は２に記載のポンプディスペンサーのポンプヘッド用ストッパー。
【請求項６】
前記保護クリップは、水平状の頂壁を有し、
前記頂壁は、前記ポンプヘッドの頂部外周から突出されていることを特徴とする請求項１又は２に記載のポンプディスペンサーのポンプヘッド用ストッパー。
【考案の詳細な説明】
【技術分野】
【０００１】
本考案は、乳液ボトル及びスプレー用液ボトルに取り付けるポンプディスペンサーのポンプヘッドに関し、特に、ポンプディスペンサーのポンプヘッド用ストッパーに関する。
【背景技術】
【０００２】
一般の乳液には、肌の汚れを落としたり肌の手入れをしたりするか、衣類を洗浄するために用いる乳液などが含まれる。又、一般のスプレー用液体には、香水、クリーニング剤などが含まれる。これら乳液及びスプレー用液体は、ボトルに詰められて販売され、乳液ボトル及びスプレー用液ボトルには、ポンプヘッドが取り付けられている。ポンプヘッドはノズルを有し、一部のノズルのポンプヘッド表面が突出し、一部のノズルのポンプヘッド表面が平坦に形成されている。しかしポンプディスペンサーの形状が如何なるものであっても、利用者がポンプヘッドを往復押圧すると、ボトル内の乳液又はスプレー用液体がノズルを介して流れ出るか噴射され、容易に使用することができる。
【０００３】
従来の液ボトルは、工場にて乳液又はスプレー液が詰められた後、液ボトルのボトル口にポンプヘッドが取り付けられ、ポンプヘッドはステムを有し、取り付ける前に、ポンプヘッドのステムを管座へ可動自在に挿設し、管座の周りの外壁には回転自在のボトル蓋が枢着され、ポンプヘッドがボトル蓋を介して液ボトルのボトル口にねじ込まれ、ポンプヘッドが管座によりストップされ、利用者は往復押圧して使用することができる。
【０００４】
ポンプヘッドのステムは、往復押圧する行程高さを有し、既に取り外されて使用する液ボトルのポンプヘッドがガチョウの頭部のような形状に形成されて管座から突出されている。しかし、液ボトルの商品を箱に詰めて運搬する際、占有体積を減らすために、出荷前に予め管座の頂面にポンプヘッドを保持するかねじ込み、ステムを予め管座又は液ボトル内に埋め込み、ポンプヘッドがそのステムにより外方へ延伸され、箱に詰めるときと運搬する際の占有体積を小さくすることができる。また、ポンプヘッドが管座の頂面に保持されるかねじ込まれる際、押圧機能を備えていないため、ボトル内の液体がボトルの外部へ流れ出ることはない。
【０００５】
しかし、ポンプヘッドは予め管座の頂面に保持されるかねじ込まれているため、箱詰めしたり梱包して輸送する際に、ポンプヘッドに外力が加わって当たったり振動したりすることを防ぐことが困難であるため、ポンプヘッドの表面に掻き傷が生じ、当たったり振動したりする外力が大きすぎる場合、ポンプヘッドが弾発して管座の頂面から外れて上方向へ延び、押圧可能な状態となることがある。このような状況下では、ポンプヘッドが容易に外力を受け続け、運搬する際にボトル内の液体が外部へ漏れて汚してしまう虞があった。
【先行技術文献】
【特許文献】
【０００６】
【特許文献１】なし
【考案の概要】
【考案が解決しようとする課題】
【０００７】
本考案の主な目的は、液ボトルのポンプヘッドを保護し、箱詰めしたり梱包して輸送したりする際、外力を受けたり振動が発生したりしても掻き傷が生じることがなく、押圧可能な状態となることを防ぐ、ポンプディスペンサーのポンプヘッド用ストッパーを提供することにある。
本考案のもう一つの目的は、表面からノズルが突出されたポンプヘッドに対し、保護クリップ上にノズルを挿通するノズル孔が形成され、このノズル孔によりポンプヘッドが弾発して押圧可能な状態となることを防ぐ、ポンプディスペンサーのポンプヘッド用ストッパーを提供することにある。
【課題を解決するための手段】
【０００８】
上記課題を解決するために、本考案の第１の形態によれば、ポンプヘッドの外周を覆ってガード壁を形成する保護クリップを備え、前記ポンプヘッドは、管座上に保持され、  前記管座の外周には、ボトル蓋が枢着され、前記管座と前記ボトル蓋との間には、環状凹溝が形成され、前記保護クリップは、前記ポンプヘッドを収容する伸縮チャンバが中心部に形成されたＣリングであり、前記保護クリップの底部には、前記凹溝内に挟持されるとともに前記保護クリップを位置決めする少なくとも１つの保持部が延設されていることを特徴とするポンプディスペンサーのポンプヘッド用ストッパーが提供される。
【０００９】
前記ポンプヘッドの一側には、ノズルが延設され、前記保護クリップは、前記ノズルを挿通するノズル孔を有することが好ましい。
【００１０】
前記ボトル蓋は、液ボトルにねじ込まれ、前記ノズル内には、前記液ボトル内に至るまで延びた液体流路が形成されていることが好ましい。
【００１１】
前記保護クリップは、互いに対応した２つの端部を有し、前記２つの端部間には、前記伸縮チャンバと連通する伸縮口が形成されていることが好ましい。
【００１２】
前記保護クリップは、傾いた頂壁を有し、前記頂壁は、前記ポンプヘッドの頂部外周から突出されていることが好ましい。
【００１３】
前記保護クリップは、水平状の頂壁を有し、前記頂壁は、前記ポンプヘッドの頂部外周から突出されていることが好ましい。
【考案の効果】
【００１４】
本考案のポンプディスペンサーのポンプヘッド用ストッパーは、ポンプヘッドが管座の頂面に保持されたりねじ込まれたりする際（即ち、液ボトルが出荷されて箱詰めされたり、運搬されたり陳列販売されたりするとき）、外力によりポンプヘッドに掻き傷が生じることを保護クリップにより防ぎ、保護クリップが、保持部により管座とボトル蓋との間に形成された凹溝内に保持され、緩んで外れることを防ぐことができる上、ポンプヘッドの表面からノズルが突出されているため、保護クリップはノズル孔を利用してポンプヘッドが弾発して押圧可能な状態となることを防ぎ、これによっても緩んで外れることを防ぐことができ、さらに、保護クリップが外力を受けると、ポンプヘッドが外れにくくなる上、ポンプヘッドが弾発して押圧可能な状態となることを防ぎ、ボトル内の液体が外部へ漏れ出ることを防ぐことができる。
【図面の簡単な説明】
【００１５】
【図１】図１は、本考案の一実施形態に係るポンプディスペンサーのポンプヘッド用ストッパーを示す斜視図である。
【図２】図２は、図１のポンプディスペンサーのポンプヘッド用ストッパーの別の角度からの斜視図である。
【図３】図３は、本考案の一実施形態に係るポンプディスペンサーのポンプヘッド用ストッパーの保護クリップをポンプヘッドの外周に取り付けたときの状態を示す断面図である。
【図４】図４は、図１の保護クリップを示す正面図である。
【図５】図５は、図１の保護クリップを示す平面図である。
【図６】図６は、図４の他の保護クリップを示す正面図である。
【考案を実施するための形態】
【００１６】
以下、本考案の実施形態について図に基づいて説明する。なお、これによって本考案が限定されるものではない。
【００１７】
図１〜図３を参照する。図１〜図３に示すように、本考案の一実施形態に係るポンプディスペンサーのポンプヘッド用ストッパーは、少なくともポンプヘッド１０及び保護クリップ２０から構成されてなる。
【００１８】
ポンプヘッド１０は、プラスチックでモールドしたものである。ポンプヘッド１０の一側には、ノズル１１が突出されている。ノズル１１は、突出されているか平坦な形状であり、ポンプヘッド１０内には、ノズル１１と連通した液体流路１３が形成され、例えば、乳液、噴液などの液体が液体流路１３を通過し、ノズル１１から外部へ流れ出る。さらに言えば、ポンプヘッド１０の底部には、ステム１２が延設されている。ステム１２は、可動自在に円形状の管座３０内に挿設され、かつ、管座３０上まで可動自在に延びている。管座３０の周囲の外壁には、自在に回転するボトル蓋４０が枢着されているため、ポンプヘッド１０がボトル蓋４０を介して液ボトル６０のボトル口にねじ込まれ、ポンプヘッド１０内の液体流路１３が液ボトル６０内に至るまで延び、ポンプヘッド１０が管座３０のストッパーを有するため、ユーザが往復押圧すると、液ボトル６０内の液体が液体流路１３を通過し、ノズル１１から外部へ流れ出る。実際には、ポンプヘッド１０のステム１２も管座３０の頂面に保持されるかねじ込まれ、管座３０又は液ボトル６０内にステム１２が埋め込まれ、ポンプヘッド１０がステムを介して外部へ延びることを防ぎ、箱詰めしたり梱包して輸送したりする際の占有体積を小さくすることができる。本実施形態において、管座３０とボトル蓋４０との間には、リング状の凹溝５０が形成されている。
【００１９】
図４及び図５を参照する。図４及び図５に示すように、本考案の一実施形態に係るポンプディスペンサーのポンプヘッド用ストッパーの保護クリップ２０は、プラスチックでモールドしたものである。保護クリップ２０は、ポンプヘッド１０を収容する伸縮チャンバ２２を中心部に有するＣリングである。ポンプヘッド１０が伸縮チャンバ２２内に収容されると、保護クリップ２０により、ポンプヘッド１０を覆うために用いるガード壁が形成され、外力によりポンプヘッド１０に掻き傷が生じることを防ぐことができる上、保護クリップ２０の底部には、少なくとも１つのリブ状の保持部２５が内方へ延びる。保護クリップ２０は、保持部２５を介して上述の凹溝５０内に弾性保持され（図３参照）、保護クリップ２０がポンプヘッド１０を保持する際に緩んで外れることを効果的に防ぐことができる。また、保護クリップ２０はノズル孔２１を有する。ノズル孔２１には、延伸したノズル１１を挿通させ、ノズル孔２１により、凹溝５０内の保持部２５を固定端として用いてノズル１１を拘束し、ポンプヘッド１０が弾発して押圧状態が形成される。さらに詳細には、保護クリップ２０は、互いに対応した２つの端部２３を有する。上述した端部２３間には、伸縮口２４が形成されている。伸縮口２４は、伸縮チャンバ２２と連通し、ポンプヘッド１０は、伸縮口２４を介して伸縮チャンバ２２内に収容され、保護クリップ２０により保護される。
【００２０】
図４及び図６を参照する。図４及び図６に示すように、本考案の一実施形態に係るポンプディスペンサーのポンプヘッド用ストッパーの保護クリップ２０の周囲に設けられた頂部には、頂壁２６が形成されている。ポンプヘッド１０が保護クリップ２０の伸縮チャンバ２２内に収容されると、頂壁２６がポンプヘッド１０の頂部外周から突出され、外力を受けてポンプヘッド１０に掻き傷が生じてしまうことを防ぎ、頂壁２６の構造は傾いた状態であるか（図４参照）平坦な状態である（図６参照）。上述した２種類の相異なる構造を有する頂壁２６は、どちらもポンプヘッド１０を効果的に保護することができる。
【００２１】
本考案では、保護クリップ２０を用いてポンプヘッド１０の外周を覆ってガード壁を形成し、ポンプヘッド１０が外力を受けて掻き傷が生じることを防ぐとともに、管座３０とボトル蓋４０との間に形成された凹溝５０内に保持部２５を堅牢に保持することにより、保護クリップ２０がポンプヘッド１０を保持する際に緩んで外れてしまうことを防ぎ、保護クリップ２０のノズル孔２１により延伸したノズルを拘束することにより、保護クリップ２０がポンプヘッド１０を保持するときに緩んで外れることを防ぐことができる他、ポンプヘッド１０が外力を受けるときに、保護クリップ２０によりポンプヘッド１０が弾発して押圧可能な状態になることを効果的に防ぎ、液ボトル６０内の液体が外部へ流れ出ることを防ぐ。
【００２２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２３】
１０  ポンプヘッド
１１  ノズル
１２  ステム
１３  液体流路
２０  保護クリップ
２１  ノズル孔
２２  伸縮チャンバ
２３  端部
２４  伸縮口
２５  保持部
２６  頂壁
３０  管座
４０  ボトル蓋
５０  凹溝
６０  液ボトル
【図１】
0003197137.tif 000003
【図２】
0003197137.tif 000004
【図３】
0003197137.tif 000005
【図４】
0003197137.tif 000006
【図５】
0003197137.tif 000007
【図６】
0003197137.tif 000008
【手続補正書】
【提出日】平成27年2月25日(2015.2.25)
【手続補正１】
【補正対象書類名】実用新案登録請求の範囲
【補正対象項目名】全文
【補正方法】変更
【補正の内容】
【実用新案登録請求の範囲】
【請求項１】
ポンプヘッドの外周を覆ってガード壁を形成する保護クリップを備え、
前記ポンプヘッドは、管座上に保持され、
前記管座の外周には、ボトル蓋が枢着され、
前記管座と前記ボトル蓋との間には、環状凹溝が形成され、
前記保護クリップは、前記ポンプヘッドを収容する伸縮チャンバが中心部に形成されたＣリングであり、
前記保護クリップの底部には、前記凹溝内に挟持されるとともに前記保護クリップを位置決めする少なくとも１つの保持部が延設されていることを特徴とするポンプディスペンサーのポンプヘッド用ストッパー。
【請求項２】
前記ポンプヘッドの一側には、ノズルが延設され、
前記保護クリップは、前記ノズルを挿通するノズル孔を有することを特徴とする請求項１に記載のポンプディスペンサーのポンプヘッド用ストッパー。
【請求項３】
前記ボトル蓋は、液ボトルにねじ込まれ、
前記ノズル内には、前記液ボトル内に至るまで延びた液体流路が形成されていることを特徴とする請求項２に記載のポンプディスペンサーのポンプヘッド用ストッパー。
【請求項４】
前記保護クリップは、互いに対応した２つの端部を有し、
前記２つの端部間には、前記伸縮チャンバと連通する伸縮口が形成されていることを特徴とする請求項１又は２に記載のポンプディスペンサーのポンプヘッド用ストッパー。
【請求項５】
前記保護クリップは、傾いた頂壁を有し、
前記頂壁は、前記ポンプヘッドの頂部外周から突出されていることを特徴とする請求項１又は２に記載のポンプディスペンサーのポンプヘッド用ストッパー。
【請求項６】
前記保護クリップは、水平状の頂壁を有し、
前記頂壁は、前記ポンプヘッドの頂部外周から突出されていることを特徴とする請求項１又は２に記載のポンプディスペンサーのポンプヘッド用ストッパー。